(57)【要約】【課題】低温腐食が発生する虞を防止する。【解決手段】ケーシング１上端部に設けた内蓋支持フレーム１２上に、内蓋１４をパッキン２７を介在させて載置し、周方向多数個所の取付ボルト２８にて内蓋支持フレーム１２に固定する。ケーシング１上端のハッチカバー支持フレーム１７上に、ハッチカバー１９をパッキン２０を介在させて載置し、植込みボルト２１に押え金具２２とナット２３にて固定する。ハッチカバー１９底面におけるパッキン２０接触位置の内外両側に、小孔２９，３０を設けてハッチカバー１９の内部空間を通して内蓋上方空間２５と外部とを連通させる。内蓋１４の上側を覆う防熱フトン３２を設ける。内蓋上方空間２５と内蓋下方空間２６の遮断性を高め、内蓋上方空間２５を常に大気圧に保つことにより、集塵処理を行う際に負圧とされる内蓋下方空間２６から内蓋上方空間２５への燃焼排ガス１０の流入を防止させる。【選択図】        図１
2004174435.tif 000002
【特許請求の範囲】
【請求項１】
ケーシングの頂部にハッチカバーを取り付け、且つ該ハッチカバーよりも下方となるケーシング内の上端部に設けてある内蓋支持フレームに内蓋を取り付けてなる二重蓋構造のろ過式集塵器における上記内蓋を、上記内蓋支持フレーム上に、全周方向に亘るパッキンを介在させて載置すると共に、内蓋の外周端部における周方向多数個所を、取付ボルトにてパッキンを挟んで上記内蓋支持フレームに着脱自在に取付け、更に、上記内蓋の上方空間に臨む所要個所に、該内蓋上方空間と外部とを連通させる連通孔を設けてなる構成を有することを特徴とするろ過式集塵器の腐食防止装置。
【請求項２】
内蓋の上面を、断熱材で覆うようにした請求項１記載のろ過式集塵器の腐食防止装置。
【発明の詳細な説明】
【０００１】
【発明の属する技術分野】
本発明はハッチカバーの内側に内蓋を備えて二重蓋構造としてあるろ過式集塵器に腐食が発生する虞を防止できるようにするろ過式集塵器の腐食防止装置に関するものである。
【０００２】
【従来の技術】
サイクロン集塵機では捕集できないようなガスに混じった小さなダストを捕集する装置として、ろ過式集塵器（バグフィルタ）が用いられている。
【０００３】
かかるろ過式集塵器は、図３（イ）（ロ）（ハ）にその基本構成の概略を示す如く、上下方向に延びるよう据え付けられたケーシング１内の上部位置に、円形とした多数の濾布取付孔２を縦横に並べて開口させたセルプレート３を気密に取り付け、上記濾布取付孔２に、円筒形状とした細長い袋状の濾布４の上端の開口部を連通するよう取り付け、各濾布４の内側に円筒形状を保持させるためのリテーナ５を上方より挿入配置し、又、上記ケーシング１の下端部には、下端にスクリューコンベヤ６を装備させたホッパ７を連設し、該ホッパ７の下側部にガス入口８を設けると共に、上記セルプレート３よりも上方となるケーシング１上端部の一側壁にガス出口９を設けた構成として、該ガス出口９の下流側に接続した図示しない誘引通風機にて誘引通風を行うことにより、セルプレート３の上方空間に連なる各濾布４の内側の気圧を負圧にして、外側の気圧との差圧を生じさせ、上記ガス入口８からケーシング１内へ導入した燃焼排ガス１０を各濾布４を外側から内側へ通過させることによって、上記燃焼排ガス１０中のダスト１１を各濾布４の外側面に付着させて捕集するようにし、ダスト捕集後の燃焼排ガス１０は、上記ガス出口９からクリーンガスとして排出させるようにしてある。
【０００４】
上記ろ過式集塵器において、濾布４は、定期的に、あるいは、所用期間経過する度に、図示しないエアブロー管を用いて濾布４の上方空間からエアをブローさせて逆洗を行うことにより、濾布４の表面に付着したダスト１１を取り除くようにしているが、目詰まりを起こして逆洗できなくなると交換する必要が生じることから、上記ケーシング１は、セルプレート３における各濾布４の取付部に上方からアクセスして濾布４の交換作業を実施できるよう、頂部を開閉可能な構造とする必要がある。
【０００５】
このように、ケーシング１の頂部を開閉可能な構造とする場合、建屋内に設置するろ過式集塵器では、ケーシング１の頂部にハッチカバーを着脱自在に設けて一重蓋構造としてあるが、建屋外に設置するろ過式集塵器では、ケーシング１の頂部に着脱自在に設けたハッチカバーの内側に、着脱自在な内蓋を設けてなる二重蓋構造として、雨水が内部へ侵入しないよう対策がとられている（たとえば、非特許文献１参照）。
【０００６】
この種のろ過式集塵器における二重蓋構造を構成する場合、従来は、図４及び図５に示す如く、ガス出口９よりも上方となるケーシング１内の上端部位置に、縦横方向に所要本ずつの濾布４の配列に対応する矩形の開口部１３を縦横に配列して備えてなる格子状の内蓋支持フレーム１２を配置してケーシング１の内壁面に気密に取り付け、該内蓋支持フレーム１２の各開口部１３の周縁部上側に、該各開口部１３よりも一回り大きい矩形に形成してある内蓋１４の外周縁部を、全周方向に亘るパッキン１５を介在させて載置し、更に、上記内蓋支持フレーム１２の上側における各内蓋１４を取り囲む周方向の比較的広いピッチの複数個所に、水平方向に旋回可能なアーム部材１６ａを備えてなる留め金具１６を設けて、上記開口部１３を閉塞させるよう内蓋支持フレーム１２上に載置した内蓋１４の上方にて、上記各留め金具１６のアーム部材１６ａをそれぞれ旋回させて、該各アーム部材１６ａの先端側を、内蓋１４の外周縁部の上方に突出する配置とさせることにより、上記各内蓋１４を留めるようにしてある。
【０００７】
更に、ケーシング１の上端に、上記内蓋１４を搬出入できるよう内蓋１４よりも一回り大きい矩形の開口部１８を上記内蓋支持フレーム１２の各開口部１３の上方位置に備えてなる格子状のハッチカバー支持フレーム１７を設け、該ハッチカバー支持フレーム１７の開口部１８の周縁部上側に、該各開口部１８よりも一回り大きい矩形に形成してなるハッチカバー１９の外周縁部を、全周方向に亘るパッキン２０を介在させて載置し、且つ上記ハッチカバー支持フレーム１７上にて各ハッチカバー１９を取り囲む周方向所要間隔個所に立設してある植込みボルト２１に、上記ハッチカバー１９の上面に係止できるようにした押え金具２２を嵌合させた後、該各押え金具２２の上方から各植込みボルト２１へそれぞれナット２３を螺着させて締め付けることにより、上記押え金具２２を介してハッチカバー１９をハッチカバー支持フレーム１７に押し付けて固定するようにしてある。
【０００８】
なお、断熱性を得ることができるようにするために、上記ケーシング１の表面には保温板２４ａを取り付けるようにしてある。又、ハッチカバー１９及びハッチカバー支持フレーム１７は、いずれも金属板にて所要の厚みを備えた中空構造を形成すると共に、内部に保温材２４ｂを充填してなる構造としてある。
【０００９】
ところで、上記ろ過式集塵器により集塵処理を実施する場合、濾布４の耐熱温度が２６０℃程度であるため、従来は、ろ過式集塵器に導入して集塵処理させる燃焼排ガス１０の温度は２２０〜２３０℃となるように設定していたが、近年、ダイオキシン類の低減化を図るために、ろ過式集塵器に導入する燃焼排ガス１０の温度は年々低下させる傾向にある。しかし、燃焼排ガス１０には、塩素含有プラスチックの燃焼等により生じるＣｌを含んだ腐食性ガスが含まれていることがある。このために、最近では、酸露点が１３０〜１４０℃であることを考慮して燃焼排ガス１０の温度を腐食域に入らない１５０〜１６０℃位となるようにしてろ過式集塵器に導入させるようにしている。
【００１０】
【非特許文献１】
発明協会公開技報公技番号２００１−１８２７
【００１１】
【発明が解決しようとする課題】
ところが、上記従来の二重蓋構造を備えたろ過式集塵器では、ハッチカバー１９がその支持フレーム１７に対してボルト・ナット機構によりタイトに取り付けられていて、該ハッチカバー１９の取付部よりケーシング１内における内蓋上方空間２５への外気の流入はほぼ阻止されている一方、内蓋１４は、周方向に比較的広いピッチで配置されている留め金具１６のアーム部材１６ａを外周縁部の上方に配置するのみで内蓋支持フレーム１２に留められていて、取り付け方が比較的ルーズとなっているため、ろ過式集塵器にて集塵処理を行うべくガス出口９の下流側に接続してある誘引通風機の運転によりケーシング１内における内蓋よりも下方の空間２６が負圧に引かれると、上記内蓋１４の取付部を通して内蓋上方空間２５のエアが内蓋下方空間２６側へ吸引されて、該内蓋上方空間２５の圧力と内蓋下方空間２６の圧力が等しくなることがあり、このため処理対象となる燃焼排ガス１０の温度変化等に伴って内蓋下方空間２６の圧力が変化すると、燃焼排ガス１０が上記内蓋上方空間２５に流入することがある。この場合、上記内蓋上方空間２５は、ガスの流通がないため一旦燃焼排ガス１０が流入してしまうと該燃焼排ガス１０が滞留し易い構造になっており、更に、燃焼排ガス１０が流通する内蓋下方空間２６に比して温度が低下し易いことから、上記内蓋上方空間２５に流入した燃焼排ガス１０が酸露点以下まで冷却されて結露する虞があり、このような結露が生じた場合には、該内蓋上方空間２５に臨むケーシング１の上端部内側壁やハッチカバー支持フレーム１７の内側面、ハッチカバー１９の下面、内蓋１４の上面、等の鉄皮に低温腐食が発生する可能性があるというのが実状である。
【００１２】
又、ガス出口９がケーシング１の一側壁に設けてあるため、セルプレート３よりも上方の空間においてガス出口９と離隔した領域では、燃焼排ガス１０が淀み易いが、この場合、上述したように内蓋上方空間２５は燃焼排ガス１０の流通する内蓋下方空間２６と比較して温度が低下し易いため、この内蓋上方空間２５の温度低下が上記淀んでいる燃焼排ガス１０に内蓋１４を介し間接的に影響すると、上記淀んだ燃焼排ガス１０の温度が酸露点以下に低下してしまう虞があり、この場合、内蓋１４の下面に結露が生じて該内蓋１４の下面に低温腐食が発生する虞があるという問題もある。
【００１３】
そこで、本発明は、ハッチカバーと内蓋による二重蓋構造を備えたろ過式集塵器において、内蓋上方空間に燃焼排ガスが流入する虞を解消できて、該内蓋上方空間に臨む鉄皮に低温腐食が発生する虞を未然に防止でき、更に、内蓋の下面における結露を防止できて、該内蓋の下面に低温腐食が発生する虞を未然に防止できるろ過式集塵器の腐食防止装置を提供しようとするものである。
【００１４】
【課題を解決するための手段】
本発明は、上記課題を解決するために、ケーシングの頂部にハッチカバーを取り付け、且つ該ハッチカバーよりも下方となるケーシング内の上端部に設けてある内蓋支持フレームに内蓋を取り付けてなる二重蓋構造のろ過式集塵器における上記内蓋を、上記内蓋支持フレーム上に、全周方向に亘るパッキンを介在させて載置すると共に、内蓋の外周端部における周方向多数個所を、取付ボルトにてパッキンを挟んで上記内蓋支持フレームに着脱自在に取付け、更に、上記内蓋の上方空間に臨む所要個所に、該内蓋上方空間と外部とを連通させる連通孔を設けてなる構成とする。
【００１５】
ろ過式集塵器にて集塵処理を行う際、下流側に接続した誘引通風機にて誘引通風を行うと、ろ過式集塵器内部は負圧にされる。内蓋は、外周縁部を内蓋支持フレームの開口部の周縁部にパッキンを介在させて載置すると共に、外周端部における周方向の多数個所を上記内蓋支持フレームに対し取付ボルトにて取り付けられているため、内蓋上方空間と、内蓋下方空間は該内蓋により遮断され、このため、ろ過式集塵器に導入される燃焼排ガスが上記内蓋上方空間へ流入することが防止される。この際、上記内蓋上方空間と内蓋下方空間の遮断が完全ではない場合には、ろ過式集塵器の内部が負圧にされることに伴い、上記内蓋の取付部を通して内蓋上方空間のエアが内蓋下方空間へ吸引されることになるが、上記内蓋上方空間には、該内蓋上方空間に臨む所要位置に設けてある外部との連通孔を通して外気が導入され、このため内蓋上方空間は常に大気圧に保たれるようになるため、負圧に引かれているろ過式集塵器内部から上記内蓋上方空間へ燃焼排ガスが流入する虞は解消される。
【００１６】
又、内蓋の上面を、断熱材で覆うようにした構成とすることにより、内蓋の保温性を高めることができるため、内蓋上方空間に外気が導入されたとしても上記内蓋の温度低下を防止でき、このため該内蓋の下面側に接する燃焼排ガスの結露を防止できて、該内蓋の下面に低温腐食が発生する虞を未然に防止することができる。
【００１７】
【発明の実施の形態】
以下、本発明の実施の形態を図面を参照して説明する。
【００１８】
図１（イ）（ロ）及び図２は本発明のろ過式集塵器の腐食防止装置の実施の一形態を示すもので、図３（イ）（ロ）（ハ）乃至図５に示したものと同様の構成としてある二重蓋構造のろ過式集塵器において、内蓋支持フレーム１２における開口部１３の周縁部上側に、パッキン１５を介し内蓋１４の外周縁部を載置すると共に、上記内蓋支持フレーム１２上に設けてある留め金具１６のアーム部材１６ａを、内蓋１４の外周縁部上方へ配置することにより該内蓋１４を留めるようにした構成とすることに代えて、内蓋支持フレーム１２の開口部１３の周縁部上側に、内蓋１４の外周縁部を、後述する所要の高さ寸法を備えたパッキン２７を全周方向に介在させて載置すると共に、該内蓋１４の上記パッキン２７との接触位置よりも外側となる外周端部における周方向多数個所を、上方より貫通させた取付ボルト２８にて上記内蓋支持フレーム１２に着脱可能に固定した構成とする。
【００１９】
上記パッキン２７は、上記取付ボルト２８の内蓋支持フレーム１２への締め付けに伴い、内蓋支持フレーム１２の上面と、内蓋１４の外周縁部の下面との間で押し潰されて両者によく密着できるような所要の高さ寸法、たとえば、従来用いられているパッキン１５の２倍程度の高さ寸法を有するようにしてある。
【００２０】
更に、内蓋上方空間２５に外気を導入できるようにするために、該内蓋上方空間２５に臨む所要個所、たとえば、ハッチカバー１９の下面におけるパッキン２０との接触位置よりも内側となる所要位置と、ハッチカバー１９下面における上記パッキン２０との接触位置よりも外側となる外周端部所要位置に、保温材２４ｂを充填してあるハッチカバー１９の内部空間に貫通するよう小孔２９，３０をそれぞれ穿設して、該小孔２９と、ハッチカバー１９の内部空間に充填されている保温材２４ｂの空隙部と、小孔３０とを介して内蓋上方空間２５と外部とを連通させる連通孔が形成できるようにする。
【００２１】
更に又、上記内蓋上方空間２５に、上記各小孔２９，３０とハッチカバー１９の内部空間を通して外気３１が導入された場合にも、内蓋１４の温度低下を防止できるようにするために、内蓋１４の上側に、該内蓋１４の全面を覆う断熱材として、グラスウールやロックウール製の防熱フトン３２を載置して設け、更に、内蓋支持フレーム１２の上側の空間部にも上記と同様の防熱フトン３３を設けた構成とする。
【００２２】
その他の構成は図３（イ）（ロ）（ハ）乃至図５に示したものと同様であり、同一のものには同一符号が付してある。
【００２３】
上記構成としてあるろ過式集塵器において燃焼排ガス１０の集塵処理を行うべくガス出口９の下流側に接続してある図示しない誘引通風機により誘引通風を行わせると、従来のろ過式集塵器と同様に、内蓋１４の下方で且つセルプレート３の上方空間が負圧にされ、これにより、ガス入口８からケーシング１内へ燃焼排ガス１０が導入されると共に、該導入された燃焼排ガス１０が各濾布４を外側から内側へ通過させられ、この際、上記燃焼排ガス１０中のダストは各濾布４の外側面に付着されて捕集され、ダスト捕集後の燃焼排ガス１０が、上記ガス出口９からクリーンガスとして排出されるようになる。
【００２４】
この際、内蓋１４は、その外周端部の多数個所に配した取付ボルト２８によりパッキン２７を介在させて内蓋支持フレーム１２に対してタイトに取り付けられていることから、内蓋上方空間２５と内蓋下方空間２６との遮断性が従来に比して高められ、このため上記内蓋上方空間２５と、負圧にされている内蓋下方空間２６の圧力が同等になることはなく、内蓋上方空間２５と内蓋下方空間２６との間にてエア（もしくはガス）が行き来することは防止される。
【００２５】
更に、内蓋１４の取付部における内蓋上方空間２５と内蓋下方空間２６との遮断性が完全ではない場合には、上記内蓋下方空間２６が負圧にされることに伴って、上記内蓋上方空間２５のエアが内蓋下方空間２６側へ吸引されることになるが、本発明では、上記内蓋上方空間２５は、ハッチカバー１９に設けた小孔２９，３０と、ハッチカバー１９の内部空間を介して外部と連通するようにして大気圧に保持されるようにしてあるため、上記のように内蓋上方空間２５のエアが内蓋下方空間２６側へ吸引されたとしても、その吸引されたエアの量に対応する外気３１が、小孔２９，３０とハッチカバー１９の内部空間を通して内蓋上方空間２５へ流入させられるため、上記内蓋上方空間２５は常に大気圧に保持されることとなり、このため、負圧となっている内蓋下方空間２６を流通する燃焼排ガス１０が上記内蓋上方空間２５へ流入することは防止される。
【００２６】
なお、上記において、小孔２９，３０はいずれもハッチカバー１９の底面に設けてあるため、ろ過式集塵器を建屋外部に設置した場合であっても該各小孔２９，３０を通して雨水が内蓋上方空間２５へ進入することはない。
【００２７】
更に又、上記内蓋１４の上側には防熱フトン３２を設けて該内蓋１４の保温が図られているため、上記のように内蓋上方空間２５に外気が流入されたとしても、内蓋１４の温度低下は防止され、これにより、内蓋１４の下面側に接する燃焼排ガス１０の温度低下が防止されて、内蓋１４の下面における結露が発生する虞は防止される。
【００２８】
このように、内蓋上方空間２５に燃焼排ガス１０が流入する虞が防止されることから、該内蓋上方空間２５に臨むケーシング１の上端部内側壁やハッチカバー支持フレーム１７の内側面、ハッチカバー１９の下面、内蓋１４の上面、等の鉄皮に低温腐食が発生する虞を未然に防止できる。
【００２９】
更に、内蓋１４の上側を防熱フトン３２で覆うことにより、該内蓋１４の温度低下を防止でき、したがって、内蓋１４の下面側に接触する燃焼排ガス１０の結露も防止できるため、該内蓋１４の下面に低温腐食が発生する虞も未然に防止することができる。
【００３０】
なお、本発明は上記実施の形態のみに限定されるものではなく、上記実施の形態においては、内蓋上方空間２５と外部とを連通させる連通孔を形成させるために、ハッチカバー１９の底面におけるパッキン２０よりも内側位置と、パッキン２０との接触位置よりも外側の外周端部底面にそれぞれ小孔２９、３０を穿設したものを示したが、外部に露出される側の小孔３０は、雨水の進入を防ぐようエアブリーザーを装備すれば、ハッチカバー１９の側面や上面に設けてもよいこと、更に、内蓋上方空間２５と外部を連通させて外気を内蓋上方空間に導入できるようにすれば、連通孔は、ケーシング１の上端部における側壁や、ハッチカバー支持フレーム１７に設けるようにしてもよく、この場合、連通孔が外部に臨む配置に応じてエアブリーザーを適宜装備すればよいこと、小孔２９，３０はハッチカバー１９ごとに複数設けてもよいこと、ハッチカバー１９及び内蓋１４をそれぞれ複数装備したろ過式集塵器に適用した場合を示したが、ハッチカバー１９や内蓋１４が単数のろ過式集塵器にも適用できること、その他本発明の要旨を逸脱しない範囲内において種々変更を加え得ることは勿論である。
【００３１】
【発明の効果】
以上述べた如く、本発明のろ過式集塵器の腐食防止装置によれば、以下の如き優れた効果を発揮する。
（１）ケーシングの頂部にハッチカバーを取り付け、且つ該ハッチカバーよりも下方となるケーシング内の上端部に設けてある内蓋支持フレームに内蓋を取り付けてなる二重蓋構造のろ過式集塵器における上記内蓋を、上記内蓋支持フレーム上に、全周方向に亘るパッキンを介在させて載置すると共に、内蓋の外周端部における周方向多数個所を、取付ボルトにてパッキンを挟んで上記内蓋支持フレームに着脱自在に取付け、更に、上記内蓋の上方空間に臨む所要個所に、該内蓋上方空間と外部とを連通させる連通孔を設けてなる構成としてあるので、内蓋上方空間と内蓋下方空間との遮断性を高めることができる。又、内蓋上方空間を常時大気圧に保持できるため、たとえ内蓋上方空間と内蓋下方空間との遮断性が完全ではない場合であっても、負圧とされる内蓋下方空間から内蓋上方空間へ燃焼排ガスが流入する虞を防止できる。したがって、内蓋上方空間にて燃焼排ガスが結露する虞を解消できるため、該内蓋上方空間に臨む鉄皮に低温腐食が発生する虞を未然に防止できる。
（２）内蓋の上面を、断熱材で覆うようにした構成とすることにより、内蓋の保温性を高めることができるため、内蓋上方空間に外気が導入されたとしても上記内蓋の温度低下を防止でき、このため該内蓋の下面側に接する燃焼排ガスの結露を防止できて、該内蓋の下面に低温腐食が発生する虞を未然に防止することができる。
【図面の簡単な説明】
【図１】本発明のろ過式集塵器の腐食防止装置の実施の一形態を示すもので、（イ）は一部切断概略側面図、（ロ）は（イ）のＡ部の拡大図である。
【図２】図１（イ）のＢ−Ｂ方向矢視図である。
【図３】ろ過式集塵器の基本構成の概略を示すもので、（イ）は一部切断側面図、（ロ）は（イ）の一部の平面図、（ハ）は一つの濾布の拡大図である。
【図４】従来の二重蓋構造のろ過式集塵器の上部構造を示す一部切断側面図である。
【図５】図４のＣ−Ｃ方向矢視図である。
【符号の説明】
１  ケーシング
１２  内蓋支持フレーム
１４  内蓋
１９  ハッチカバー
２５  内蓋上方空間
２７  パッキン
２８  取付ボルト
２９，３０  小孔（連通孔）
３２  防熱フトン（断熱材）
【図１】
2004174435.tif 000003
【図２】
2004174435.tif 000004
【図３】
2004174435.tif 000005
【図４】
2004174435.tif 000006
【図５】
2004174435.tif 000007